(57)【要約】【課題】浴槽の内側コーナーのＲ形状部分にも容易に取り付けることができる、入浴補助具の取付構造および取付部材を提供する。【解決手段】水平部１ａ、２ａと垂直部１ｂ、２ｂとを備えたＬ字形の２つの枠構成材１、２の該水平部１ａ、２ａを重ね合わせて、浴槽２０の側壁上端部２１に嵌まる門形の取付枠１０と、該取付枠の両側の垂直部に設けられ前記浴槽の側壁上端部を挟持して前記取付枠を固定する締付手段と、前記取付枠に設けられた入浴補助具５とからなる。前記取付枠を構成する２つの枠構成材の水平部１ａ、２ａは、前記重ね合わせ部をピン連結して回動可能な構成とされている。また、前記取付枠の浴槽側の垂直部１ｂに、浴槽の内壁へ当接する揺動自在な当接板３が設けられ、洗い場側の垂直部２ｂに、ねじ込み式の締付板４が設けられ、該当接板３と締付板４とで浴槽の側壁上端部を挟持して前記取付枠が固定される。【選択図】図２
2012143297.tif 000002
【特許請求の範囲】
【請求項１】
水平部と垂直部とを備えたＬ字形の２つの枠構成材の該水平部を重ね合わせて、浴槽の側壁上端部に嵌まる門形の取付枠と、該取付枠の両側の垂直部に設けられ前記浴槽の側壁上端部を挟持して前記取付枠を固定する締付手段と、前記取付枠に設けられた移乗台、手摺り等の入浴補助具とからなる入浴補助具の取付構造であって、
前記取付枠を構成する２つの枠構成材の水平部は、前記重ね合わせ部をピン連結して回動可能な構成とされていること、
前記取付枠の浴槽側の垂直部に、浴槽の内壁へ当接する揺動自在な当接板が設けられ、洗い場側の垂直部に、ねじ込み式の締付板が設けられ、該当接板と締付板とで浴槽の側壁上端部を挟持して前記取付枠が固定されることを特徴とする、入浴補助具の取付構造。
【請求項２】
前記取付枠の浴槽側の垂直部に、前記揺動自在な当接板が少なくとも左右両側に設けられていることを特徴とする、請求項１に記載した入浴補助具の取付構造。
【請求項３】
前記２つの枠構成材の水平部のいずれか一方には、取付枠の幅方向に複数のボルト通し孔が設けられ、他方には、前記ボルト通し孔を貫通する１本のボルトが立設されていることを特徴とする、請求項１又は２に記載した入浴補助具の取付構造。
【請求項４】
前記ボルト通し孔へ通したボルトに、調整つまみがねじ込まれていることを特徴とする、請求項３に記載した入浴補助具の取付構造。
【請求項５】
前記２つの枠構成材のうち、洗い場側に設ける枠構成材の水平部及び／又は垂直部の外側面に、移乗台、手摺り等の入浴補助具のフレームを固定する継手部が設けられていることを特徴とする、請求項１〜４のいずれか一に記載した入浴補助具の取付構造。
【請求項６】
前記当接板及び／又は締付板には弾性パットが貼着されていることを特徴とする、請求項１〜５のいずれか一に記載した入浴補助具の取付構造。
【請求項７】
水平部と垂直部とを備えたＬ字形の２つの枠構成材の該水平部を重ね合わせて、浴槽の側壁上端部に嵌まる門形の取付枠と、該取付枠の両側の垂直部に設けられ前記浴槽の側壁上端部を挟持して前記取付枠を固定する締付手段と、前記取付枠の外側面に設けられ、移乗台、手摺り等の入浴補助具のフレームを固定する継手部とからなる入浴補助具の取付部材であって、
前記取付枠を構成する２つの枠構成材の水平部は、前記重ね合わせ部をピン連結して回動可能な構成とされていること、
前記取付枠の浴槽側の垂直部に、浴槽の内壁へ当接する揺動自在な当接板が設けられ、洗い場側の垂直部に、該当接板とで浴槽の側壁上端部を挟持するねじ込み式の締結板が設けられていることを特徴とする、入浴補助具の取付部材。
【発明の詳細な説明】
【技術分野】
【０００１】
この発明は、浴室用の移乗台（入浴台）、手摺り等の入浴補助具の取付構造および取付部材の技術分野に属し、更に言えば、浴槽の内側コーナーのＲ形状部分（曲線形状部分）にも容易に取り付けることができる入浴補助具の取付構造および同取付構造に用いる取付部材に関する。
【背景技術】
【０００２】
高齢者や身体障害者等の入浴に際し、浴槽への出入りや浴槽内での姿勢保持を補助するための福祉用具として、浴槽の側壁上端部へ取り付ける移乗台（入浴台）、手摺り等の入浴補助具が利用されている。例えば特許文献１、２には、浴槽用手摺りの取付構造が開示されている。
前記特許文献１には、同文献１の図１等に示したように、手摺り（５）や取手（６）が取り付けられた門形の取付枠（２０）をＬ字形の第１、第２の取付部材（２１、３１）で構成し、浴槽の側壁の厚みに対応してその垂直片（２２、３２）間の間隔を適宜調整し、この取付枠（２０）を側壁上端部に嵌合して締付手段（４）で固定する構成とすることにより、取付枠（２０）等の浴槽内への突出寸法を小さくできる浴槽用手摺りの取付構造が開示されている。
前記特許文献２には、同文献２の図１等に示したように、浴槽の側壁上端部に載置する２つのアングル材（４、５）を重ねることなく向かい合わせて上面を面一（フラット）に形成することを主たる特徴とした、ガタツキを生じさせない浴槽用手摺りの取付構造が開示されている。
【先行技術文献】
【特許文献】
【０００３】
【特許文献１】特開２０００−１８９３３９号公報
【特許文献２】特許第４０７６７５２号公報
【発明の概要】
【発明が解決しようとする課題】
【０００４】
上記特許文献１、２に係る浴槽用手摺りの取付構造は、浴槽の側壁の内側部分（内壁）に当接する締付板（４５）、又は挟持板（１４）が、単なるフラットな形状であるが故に、浴槽の内側コーナーのＲ形状部分に取り付けることができず、浴槽の内側コーナー（角隅部）から離れた直線部分に取り付けるほかなかった。
よって、比較的小さい浴槽の場合は、浴槽の角隅部から離れた中間部分に設けた手摺り、或いは移乗台（入浴台）の入浴補助具が邪魔になり、かえって浴槽に入りづらい等、使い勝手がわるくなる問題があった。国内の浴槽（浴室）は欧米と比してまだまだ狭く、この問題は今後の高齢化社会を見据えた上でも軽視できない。
また、洗い場においても、浴槽の角隅部から離れた中間部分に設けた手摺り、或いは移乗台（入浴台）等の入浴補助具は、使用者に圧迫感を与えるほか、デッドスペースを作り易いという問題もあった。
【０００５】
本発明の目的は、浴槽の内側コーナーのＲ形状部分にも容易に取り付けることができ、移乗台（入浴台）、手摺り等の入浴補助具を、使用者の邪魔にならない部位に位置決めできることにより、使用者にとって使い勝手がよく、浴槽ひいては浴室のスペースを有効利用できる、入浴補助具の取付構造および取付部材を提供することにある。
【課題を解決するための手段】
【０００６】
上記背景技術の課題を解決するための手段として、請求項１に記載した発明に係る入浴補助具の取付構造は、水平部と垂直部とを備えたＬ字形の２つの枠構成材の該水平部を重ね合わせて、浴槽の側壁上端部に嵌まる門形の取付枠と、該取付枠の両側の垂直部に設けられ前記浴槽の側壁上端部を挟持して前記取付枠を固定する締付手段と、前記取付枠に設けられた移乗台、手摺り等の入浴補助具とからなる入浴補助具の取付構造であって、
前記取付枠を構成する２つの枠構成材の水平部は、前記重ね合わせ部をピン連結して回動可能な構成とされていること、
前記取付枠の浴槽側の垂直部に、浴槽の内壁へ当接する揺動自在な当接板が設けられ、洗い場側の垂直部に、ねじ込み式の締付板が設けられ、該当接板と締付板とで浴槽の側壁上端部を挟持して前記取付枠が固定されることを特徴とする。
【０００７】
請求項２に記載した発明は、請求項１に記載した入浴補助具の取付構造において、前記取付枠の浴槽側の垂直部に、前記揺動自在な当接板が少なくとも左右両側に設けられていることを特徴とする。
【０００８】
請求項３に記載した発明は、請求項１又は２に記載した入浴補助具の取付構造において、前記２つの枠構成材の水平部のいずれか一方には、取付枠の幅方向に複数のボルト通し孔が設けられ、他方には、前記ボルト通し孔を貫通する１本のボルトが立設されていることを特徴とする。
【０００９】
請求項４に記載した発明は、請求項３に記載した入浴補助具の取付構造において、前記ボルト通し孔へ通したボルトに、調整つまみがねじ込まれていることを特徴とする。
【００１０】
請求項５に記載した発明は、請求項１〜４のいずれか一に記載した入浴補助具の取付構造において、前記２つの枠構成材のうち、洗い場側に設ける枠構成材の水平部及び／又は垂直部の外側面に、移乗台、手摺り等の入浴補助具のフレームを固定する継手部が設けられていることを特徴とする。
【００１１】
請求項６に記載した発明は、請求項１〜５のいずれか一に記載した入浴補助具の取付構造において、前記当接板及び／又は締付板には弾性パットが貼着されていることを特徴とする。
【００１２】
請求項７に記載した発明に係る入浴補助具の取付部材は、水平部と垂直部とを備えたＬ字形の２つの枠構成材の該水平部を重ね合わせて、浴槽の側壁上端部に嵌まる門形の取付枠と、該取付枠の両側の垂直部に設けられ前記浴槽の側壁上端部を挟持して前記取付枠を固定する締付手段と、前記取付枠の外側面に設けられ、移乗台、手摺り等の入浴補助具のフレームを固定する継手部とからなる入浴補助具の取付部材であって、
前記取付枠を構成する２つの枠構成材の水平部は、前記重ね合わせ部をピン連結して回動可能な構成とされていること、
前記取付枠の浴槽側の垂直部に、浴槽の内壁へ当接する揺動自在な当接板が設けられ、洗い場側の垂直部に、該当接板とで浴槽の側壁上端部を挟持するねじ込み式の締結板が設けられていることを特徴とする。
【発明の効果】
【００１３】
本発明に係る入浴補助具の取付構造および同取付構造に用いる取付部材によれば次の効果を奏する。
取付枠（取付部材）を構成する２つの枠構成材を互いに回動可能な構成とした上に、浴槽側に配置する枠構成材に設けた当接板を揺動自在な構成として実施することにより、該当接板を、浴槽の直線部分の内壁はもとより、浴槽の内側コーナーのＲ形状部分の内壁（曲面）であってもフレキシブルに当てがうことができる。よって、従来、設置することができなかった浴槽の内側コーナーのＲ形状部分を跨いで取付枠（取付部材）を確実に設置できる。
即ち、取付枠を、できるだけ浴槽の角隅部に近づけて設置できるので、浴槽に入りづらい等、使用者の邪魔になることもなく、合理的で使い勝手がすこぶる良い。また、使用者にとって圧迫感を与える虞を極力解消することができ、浴槽ひいては浴室の有効利用を図ることができる。
【図面の簡単な説明】
【００１４】
【図１】本発明に係る入浴補助具の取付構造の使用状態を示す斜視図である。
【図２】Ａ、Ｂは、本発明に係る入浴補助具の取付構造に用いる取付部材を示す斜視図である。
【図３】Ａは、前記取付部材を示す正面図であり、Ｂは、同平面図である。なお、Ｂについては図示の便宜上、締付板および締付ねじを省略している。
【図４】浴槽側に配置する枠構成材に設けた当接板を示す立断面図である。
【図５】Ａ、Ｂは、前記当接板の異なる実施例を示した立断面図である。
【図６】Ａ〜Ｅは、浴槽の内側コーナーのＲ形状部分のバリエーションに対応した取り付部材の取付状態を示す平面図である。
【図７】手摺りを連結した取付部材を示す斜視図である。
【発明を実施するための形態】
【００１５】
次に、本発明に係る入浴補助具の取付構造および取付部材の実施例を図面に基づいて説明する。
図１〜図４は、本発明に係る入浴補助具の取付構造の実施例を示している。
この入浴補助具の取付構造は、水平部１ａ、２ａと垂直部１ｂ、２ｂとを備えたＬ字形の２つの枠構成材１、２の該水平部１ａ、２ａを重ね合わせて、浴槽２０の側壁上端部２１に嵌まる門形の取付枠１０と、該取付枠１０の両側の垂直部１ｂ、２ｂに設けられ前記浴槽２０の側壁上端部２１を挟持して前記取付枠１０を固定する締付手段と、前記取付枠１０に設けられた移乗台５（又は手摺り等の入浴補助具）とからなる。
前記取付枠１０を構成する２つの枠構成材１、２の水平部１ａ、２ａは、前記重ね合わせ部をピン連結して回動可能な構成とされている。
また、前記取付枠１０の浴槽側の垂直部１ｂに、浴槽２０の内壁へ当接する揺動自在な当接板３が設けられ、洗い場側の垂直部２ｂに、ねじ込み式の締付板４が設けられ、該当接板３と締付板４とで浴槽２０の側壁上端部２１を挟持して前記取付枠１０が固定される。
【００１６】
前記門形の取付枠１０は、浴槽側へ配置される枠構成材１と、洗い場側へ配置される枠構成材２との組み合わせで構成される。
浴槽側へ配置される枠構成材１は、図３Ａに示したように、正面方向からみてほぼ同厚（５ｍｍ程度）の、金属板を曲げ加工した水平部１ａと垂直部１ｂとからなる横向きのＬ字形状で実施されている。枠構成材１の材質は、防錆効果に優れたステンレス製が好ましい。
前記水平部１ａは、頂部にＲ加工を施した略二等辺三角形状に形成され、その垂線上の頂部近傍位置に１本のボルト６が立設されている。本実施例に係るボルト６は、前記水平部１ａの所定部位に設けたねじ孔にねじ込んで立設しているが、水平部１ａの上面に溶接により立設することも勿論できる。
前記垂直部１ｂは、下角部にＲ加工を施した水平方向に長い長方形状に形成され、その内壁の左右両側に当接板３、３がほぼ左右対称配置に設けられている。前記当接板３は、前記内壁に溶接等の接合手段で設けられた軸部７に、該軸部７を中心として揺動（遊動）自在に取り付けられている。本実施例では、図４に示したように、前記軸部７の先端に設けたねじ孔１９に、前記当接板３の中心部に設けた貫通孔へ通したボルト８をねじ込み、該当接板３を軸部７を中心として揺動自在に取り付けている。
また、本実施例では、浴槽２０の損傷防止および滑り防止のため、前記当接板３の全面に弾性パット１７を貼着している。
ちなみに、前記水平部１ａおよび垂直部１ｂの角部にＲ加工を施すのは、取付作業者、或いは入浴者の安全性を考慮したものである。また、本発明は浴室に適用することを考慮し、枠構成材１等の構成部材にステンレス製を採用したり、防錆塗料を塗布する等の工夫は適宜行われるところである。
【００１７】
なお、本実施例に係る枠構成材１は、前記水平部１ａを前記二等辺三角形状に形成して実施しているがこれに限定されず、矩形状でも同様に実施できる。もとより、矩形状よりも三角形状で実施した方が経済的であるし、全体の重量を軽くでき、取付作業の取り回しがし易くなる。
前記水平部１ａの上面に立設するボルト６の取付位置も図示例に限定されないが、水平部１ａの回動操作上、先端部近傍位置に設けるのが合理的である。
前記垂直部１ｂに設ける当接板３の使用数量も図示例の２つに限定されず、使用する垂直部１ｂ、或いは当接板３の大きさ等に応じて１つ（図６Ｅ参照）乃至３つ以上でも実施できる。
前記当接板３を軸部７へ揺動自在に取り付ける手段も図示例に限定されず、例えば図５Ａ、Ｂに示したように、当接板３と軸部７との連結部を、いずれか一方を球状凸部９ａに形成し、他方を該球状凸部９ａを収容する球状凹部９ｂに形成して実施する等、種々の公知な手法で実施することもできる。
【００１８】
洗い場側へ配置される枠構成材２は、上述した枠構成材１と同様に、正面方向からみてほぼ同厚（５ｍｍ程度）の、金属板を曲げ加工した水平部２ａと垂直部２ｂとからなる横向きのＬ字形状で実施されている（図３Ａ参照）。
前記水平部２ａは、角部にＲ加工を施した矩形状に形成され、その中心線上に沿って、前記枠構成材１に設けたボルト６を通す、取付枠１０の幅調整用のボルト通し孔１１が複数（図示例では２個）穿設されている。また、前記水平部２ａの上面には、前記垂直部２ｂ寄りの左右両側に、移乗台５のフレームを固定する継手部１２、１２がほぼ左右対称配置に設けられている。
前記垂直部２ｂは、下端部にＲ加工を施した倒立二等辺三角形状に形成され、その下端中央部にねじ孔１３が設けられている。前記ねじ孔１３には、先端部に締付板４が取り付けられ、頭部にハンドル１５を装着した締付ねじ１４がねじ込まれている。かくして、前記ハンドル１５を右回転又は左回転させることにより、前記締付板４が締付ねじ１４のストロークの範囲内で前進又は進退可能な構成とされる。ちなみに、本実施例に係る締付板４は、締付ねじ１４の先端に設けたねじ孔に前記締付板４の中央部に設けた雄ねじをねじ込む手法で取り付けられている。また、締付板４は、上下方向だけに揺動自在な構成としても良い。これは左右方向に揺動可能であると、固定しても移乗台５が梃子となって左右にずれて動き易いからである。前記締付板４は、良好な締付作業を実現するべく、浴槽側に配置される枠構成材１に設けた当接板３と相対向する配置に設けることが好ましい。
また、本実施例では、浴槽２０の損傷防止および滑り防止のため、前記締付板４の壁に接地する全面に弾性パット１７を貼着している。
【００１９】
なお、本実施例に係る枠構成材２は、前記水平部２ａに２個のボルト通し孔１１を穿設して実施しているがこれに限定されない。取付枠１０の幅をフレキシブルに調整する場合は３個以上穿設して実施する。前記ボルト通し孔１１の取付部位も水平部２ａの中心線上に限定されない。
前記継手部１２の数量及び取付部位も図示例に限定されず、１個乃至３個以上、或いは垂直部２ａ及び／又は垂直部２ｂに設ける等、当該枠構成材２に取り付ける移乗台５、或いは後述する手摺り１８の構成、大きさに応じて適宜設計変更可能である。
前記垂直部２ｂの形状も図示例の倒立二等辺三角形状に限定されず、矩形状でも実施できる。
【００２０】
次に、上述した枠構成材１、２を組み合わせてなる取付枠１０を浴槽２０の側壁上端部２１のコーナー部へ取り付ける手順の一例について説明する。
先ず、前記枠構成材１、２にそれぞれ、上述した要領で当接板３、締付板４を取り付ける。続いて、前記枠構成材２の水平部２ａに設けたボルト通し孔１１へ、前記枠構成材１の水平部１ａに立設したボルト６を通して両者を重ね合わせる。この際、浴槽２０の側壁上端部２１の幅に応じて２つのボルト通し孔１１のうち好適な方を選択してボルト６を通す。ちなみに本実施例では、５０ｍｍ〜１１０ｍｍと８０ｍｍ〜１４０ｍｍの２種類の調節幅が可能なタイプとして実施している。
次に、前記ボルト通し孔１１へ通したボルト６の先端部に調整つまみ１６をねじ込む。この調整つまみ１６は、重ね合わせた水平部１ａ、２ａ同士を離脱させず、後に所要の角度に回動させた水平部１ａ、２ａを位置決め（ロック）するのに供される。
かくして、浴槽２０の側壁上端部２１へ取り付ける前に予め、前記枠構成材１、２をピン連結してなる門形の取付枠１０を構成する。
【００２１】
次に、前記門形の取付枠１０を、上方から浴槽２０の側壁上端部２１のコーナー部へ嵌める。具体的には、前記枠構成材２の垂直部２ｂに取り付けたハンドル１５を回転させ、締付板４を浴槽２０の側壁上端部２１へ衝突しない程度に後退させておき、取付枠１０の水平部１ａ、２ａを側壁上端部２１の上面へ載置させる。
続いて、側壁上端部２１へ嵌めた取付枠１０を、コーナー部の所要の部位に位置決めする。この位置決め手段は、浴槽側へ配置された枠構成材１の水平部１ａの角度、及び浴槽２０の内側コーナーのＲ形状部分の内壁（曲面）へ当てがう当接板３、３の傾斜角度を微調整しつつ、該Ｒ形状部分の曲率に応じて無理のない角度で位置決めする（一例として図６Ａ〜Ｄ参照）。取付枠１０を位置決めした後は、前記調整つまみ１６をしっかりねじ込み、水平部１ａ、２ａのずり動きを防止する。
続いて、前記当接板３を前記浴槽２０の内壁へ当接させた状態で、洗い場側へ配置した枠構成材２に取り付けたハンドル１５を回転させ、締付ねじ１４を前進させて締付板４を浴槽２０の外壁へ圧着させる。そうすると、前記当接板３と締付板４とが弾性パット１７、１７を介して浴槽２０の側壁上端部２１をしっかり挟持することにより当該取付枠１０が固定される。
しかる後、前記側壁上端部２１にきっちり固定された取付枠１０の枠構成材２に設けた継手部１２を利用して移乗台５を取り付ける（図１参照）。
なお、前記取付枠１０に移乗台５を取り付けた後、前記当接板３の当接状態を確認しつつ締付板４の締付具合（ガタツキ防止、ずり動き防止）を確認する等の最終チェック作業は適宜行われる。
【００２２】
要するに、本発明に係る入浴補助具の取付構造は、浴槽２０の側壁上端部２１に固定する取付枠１０、ひいては取付部材（請求項７参照）と、該取付部材の継手部１２に連結される移乗台５、或いは手摺り１８（図７参照）等の入浴補助具とから構成される。
移乗台５等の大掛かりな入浴補助具を設置する場合は、上記したように、取付部材を浴槽２０の側壁上端部２１へ固定した後に取り付けることが作業上好ましい。一方、図７に示したような手摺り１８等のコンパクトな入浴補助具を設置する場合は、予め手摺り１８を取付部材（取付枠１０）に取り付けておき、上記した取付作業を行うと合理的である。
【００２３】
したがって、本発明に係る入浴補助具の取付構造および同取付構造に用いる取付部材によれば、次の効果を奏する。
取付枠１０（取付部材）を構成する２つの枠構成材１、２を互いに回動可能な構成とした上に、浴槽側に配置する枠構成材１に設けた当接板３を揺動自在な構成として実施することにより、該当接板３を、浴槽２０の直線部分の内壁はもとより、浴槽の内側コーナーのＲ形状部分の内壁（曲面）であってもフレキシブルに当てがうことができる。よって、従来、設置することができなかった浴槽２０の内側コーナーのＲ形状部分を跨いで取付枠１０（取付部材）を確実に設置できる。
即ち、取付枠１０を、できるだけ浴槽２０の角隅部に近づけて設置できるので、浴槽に入りづらい等、使用者の邪魔になることもなく、合理的で使い勝手がすこぶる良い。また、使用者にとって圧迫感を与える虞を極力解消することができ、浴槽２０ひいては浴室の有効利用を図ることができる。
【００２４】
以上に実施例を図面に基づいて説明したが、本発明は、図示例の限りではなく、その技術的思想を逸脱しない範囲において、当業者が通常に行う設計変更、応用のバリエーションの範囲を含むことを念のために言及する。
例えば、本実施例では、浴槽側に配置する枠構成材１の水平部１ａにボルト６を立設し、洗い場側に配置する枠構成材２の水平部２ａにボルト通し孔１１を設けて実施しているがこれに限定されず、洗い場側に配置する枠構成材２の水平部２ａにボルト６を立設し、浴槽側に配置する枠構成材１の水平部１ａにボルト通し孔１１を設けて実施することもできる。
また、前記弾性パット１７は、当接板３や締付板４に設けるほか、浴槽２０の側壁上端部２１の上面に当接する水平部１ａ及び／又は水平部２ａの下面に設けて実施してもよい。
さらに、本実施例では、取付枠１０に継手部１２を設けて実施しているが該継手部１２は必須でなく、取付枠１０と入浴補助具（移乗台５、手摺り１８等）との連結手段をボルト止めで実施する場合は、該取付枠１０の取付部位にボルト通し孔を設ける等、適宜設計変更可能である。
【符号の説明】
【００２５】
１、２    枠構成材
１ａ、２ａ    水平部
１ｂ、２ｂ    垂直部
３    当接板
４    締付板
５    移乗台
６    ボルト
７    軸部
８    ボルト
９ａ  球状凸部
９ｂ  球状凹部
１０    取付枠
１１    ボルト通し孔
１２    継手部
１３    ねじ孔
１４    締付ねじ
１５    ハンドル
１６    調整つまみ
１７    弾性パット
１８    手摺り
１９    ねじ孔
２０    浴槽
２１    側壁上端部
【図１】
2012143297.tif 000003
【図２】
2012143297.tif 000004
【図３】
2012143297.tif 000005
【図４】
2012143297.tif 000006
【図５】
2012143297.tif 000007
【図６】
2012143297.tif 000008
【図７】
2012143297.tif 000009